(57)【要約】【課題】  簡単な構成で、転写材の表面に最初に形成された実定着トナー像を飛散することなく、いずれか一方または両面に担持された未定着トナー像を定着することがきることを課題とする。【解決手段】  転写材Ｐのトナー像担持面Ｐ１に対応する定着ローラ１１０を、転写材Ｐが定着ローラ間（１１０、１２０）のニップに至る前に、転写材Ｐのトナー像担持面が定着ローラ１１０に接触して仮定着するように配置し、  転写材Ｐのトナー像担持面と転写材Ｐのトナー像担持面に対応した定着ローラ１１０との接触部位近傍には、定着ローラ１１０の周面を覆う被覆手段２００が設けられていることを特徴とする。【選択図】  図２
2006285165.tif 000002
【特許請求の範囲】
【請求項１】
定着ローラのニップ間に、少なくとも一方の面に未定着トナー像を担持した転写材を通過させて、未定着トナー像を転写材上に定着させる定着装置において、
前記転写材のトナー像担持面に対応する定着ローラを、前記転写材が前記定着ローラ間のニップに至る前に、前記転写材のトナー像担持面が前記定着ローラに接触して予備定着するように配置し、
前記転写材のトナー像担持面と前記転写材のトナー像担持面に対応した前記定着ローラとの接触部位近傍には、前記定着ローラの周面を覆う被覆手段が設けられていることを特徴とする定着装置。
【請求項２】
前記被覆手段は、一端側が前記定着ローラの回転方向に向かうように、前記定着ローラの周面に接触するフィルム状の部材であることを特徴とする請求項１記載の定着装置。
【請求項３】
定着ローラのニップ間に、少なくとも一方の面に未定着トナー像を担持した転写材を通過させて、未定着トナー像を転写材上に定着させる定着装置において、
前記転写材のトナー像担持面に対応する定着ローラを、前記転写材が前記定着ローラ間のニップにいたる前に、前記転写材のトナー像担持面が前記定着ローラに接触させて予備定着するように配置し、
前記転写材のトナー像担持面と前記転写材のトナー像担持面に対応した前記定着ローラとの接触部位近傍には、前記転写材のトナー像担持面に対し、前記定着ローラの回転により発生する風の吹き付けを防ぐ被覆手段が設けられていることを特徴とする定着装置。
【請求項４】
定着ローラのニップ間を通過する前記転写材は、両面に未定着トナー像が担持されていることを特徴とする請求項１または３記載の定着装置。
【請求項５】
転写材の少なくとも一方の面に担持された未定着トナー像を定着させる定着ローラ対と、未定着トナーが形成された前記転写材のトナー像担持面に対応する前記定着ローラ側に設けられた被覆手段とを有し、
前記転写材のトナー像担持面に対応する定着ローラを、前記転写材が前記定着ローラ間のニップに至る前に、前記転写材のトナー像担持面が前記定着ローラに接触させて予備定着するように配置した転写材の定着方法において、
前記被覆手段を、前記転写材のトナー像担持面と前記転写材のトナー像担持面に対応した前記定着ローラとの接触部位近傍に接触させて、前記定着ローラの回転により発生する風の吹き付けを防ぎ、
次いで、前記転写材のトナー像担持面を、前記転写材のトナー像担持面に対応した前記定着ローラを接触させて予備定着し、
この後、前記定着ローラのニップ間に、前記転写材を通過させて、未定着トナー像を前記転写材上に定着させることを特徴とする転写材の定着方法。
【請求項６】
前記被覆手段はフィルム状の部材で形成され、前記被覆手段の一端側を前記定着ローラの回転方向に向かうように、前記定着ローラの周面に接触させることを特徴とする請求項５記載の転写材の定着方法。
【発明の詳細な説明】
【技術分野】
【０００１】  本発明は、一方の面または両面に転写したトナー像を一括して定着する定着装置および転写材の定着方法に関する。
【背景技術】
【０００２】  転写材の一方の面または両面にトナーを転写する構成として、特許文献１および特許文献２のようなものが開示されている。特許文献１の構成は、〔００４１〕および〔図７〕に開示されているように、印刷ユニットと中間転写ベルト３６とを組み合わせた第１のステーション４と、第１の印刷ステーション４とは左右対称な構成の第２の印刷ステーション４１とからなる。【０００３】  このような構成の下、記録用紙３は印刷ステーション４と裏面印刷ステーション４１の間を垂直に上方へ搬送し、印刷ステーション４の上部において再転写手段３８で中間転写ベルト３６に形成されたフルカラー画像２４４が記録用紙３の一方の面（表面）に転写される。【０００４】  次いで、記録用紙３は折り返しローラ３４により搬送方向をかえ、裏面印刷ステーション４１の上部において第２のフルカラー画像２４５を記録用紙３の他方の面（裏面）に転写され、この後、定着装置５により、記録用紙に転写されたフルカラー画像を定着する。【０００５】  さらに、特許文献２の構成は、〔００１９〕および〔図１〕に開示されているように、図外の給紙装置から連続的に供給される連続紙からなるシート状印刷媒体１００の第１面１００ａ（たとえば表面）に、所定の画像を形成するための第１印刷装置１１１と、シート状印刷媒体１００の第２面１００ｂ（たとえば裏面）に所定の画像を形成するための第２印刷装置２１１と、これら印刷媒体１００の第１面１００ａ及び第２面１００ｂのそれぞれに転写されたトナーを定着させる定着ユニット２４０とからなる。【０００６】  第１印刷装置１１１は、画像ユニット１２０ａ〜１２０ｅと第１中間転写ベルト１１４とを備える。また、第２印刷装置２１１は、画像ユニット２２０ａ〜２２０ｅと第２中間転写ベルト２１４とを備える。【０００７】  このような構成の下、〔００３２〕から〔００３５〕に開示されているように、シート状印刷媒体１００を所定の位置にセットした後、シート状印刷媒体１００を連続的に供給し、シート状印刷媒体１００の一方の面または両面に、第１中間転写ベルト１１４および／または第２中間転写ベルト２１４に形成された画像を転写する。シート状印刷媒体１００の一方の面または両面に転写された画像は、定着ユニット２４０により、定着される。
【特許文献１】特開２００２−２６３２０号公報
【特許文献２】特開２００５−７０４４１号公報
【発明の開示】
【発明が解決しようとする課題】
【０００８】  先に述べたように、これら特許文献の構成は、転写材の両面に未定着トナー像を形成する場合には、特許文献１の再転写手段３８（特許文献２においては第１転写ユニット１３０）により、転写材の一方の面（表面）に対し未定着トナー像を転写させた後、次いで、特許文献１の再転写手段３８１（特許文献２においては第２転写ユニット２３０）により、転写材の他方の面（裏面）に対し、未定着トナー像を転写するものである。【０００９】  この構成により、転写材の一方の面から他方の面に未定着トナー像を転写する時、転写材の一方の面からトナー極性と反対極性の帯電が付与される。この結果、転写材の表面に形成された未定着トナー像は、転写材の表面に対し、吸着力が小さくなり、転写材を定着装置へ搬送するまでの間に、転写材の表面に形成された未定着トナー像が飛散してしまうおそれがある。
【課題を解決するための手段】
【００１０】  上記課題を解決するために、本発明は、請求項１において、定着ローラのニップ間に、少なくとも一方の面に未定着トナー像を担持した転写材を通過させて、未定着トナー像を転写材上に定着させる定着装置において、転写材のトナー像担持面に対応する定着ローラを、転写材が定着ローラ間のニップに至る前に、転写材のトナー像担持面が定着ローラに接触して仮定着するように配置し、転写材のトナー像担持面と転写材のトナー像担持面に対応した定着ローラとの接触部位近傍には、定着ローラの周面を覆う被覆手段が設けられていることを特徴とする。【００１１】  また、請求項２では、被覆手段をフィルム状の部材で形成し、この一端側が定着ローラの回転方向に向かうように、定着ローラの周面に接触するように配置したことを特徴とする。請求項３では、転写材のトナー像担持面に対応する定着ローラを、転写材が定着ローラ間のニップにいたる前に、転写材のトナー像担持面が定着ローラに接触させて予備定着するように配置し、転写材のトナー像担持面と転写材のトナー像担持面に対応した定着ローラとの接触部位近傍には、転写材のトナー像担持面に対し、定着ローラの回転により発生する風の吹き付けを防ぐ被覆手段が設けられていることを特徴とする【００１２】  さらに、請求項４では、互いに圧接する定着ローラのニップ間に、少なくとも一方の面に未定着トナー像を担持した転写材を通過させて、未定着トナー像を転写材上に定着させる定着装置において、転写材のトナー像担持面に対応する定着ローラを、転写材が定着ローラ間のニップにいたる前に、転写材のトナー像担持面が定着ローラに接触させて仮定着するように配置し、転写材のトナー像担持面と転写材のトナー像担持面に対応した定着ローラとの接触部位近傍には、転写材のトナー像担持面に対し、定着ローラの回転により発生する風の吹き付けを防ぐ被覆手段が設けられていることを特徴とする。【００１３】  請求項５では、互いに圧接する定着ローラのニップ間を通過する転写材は、両面に未定着トナー像が担持されていることを特徴とする。【００１４】  請求項６では、転写材の少なくとも一方の面に担持された未定着トナー像を定着させる定着ローラ対と、未定着トナーが形成された転写材のトナー像担持面に対応する定着ローラ側に設けられた被覆手段とを有し、転写材のトナー像担持面に対応する定着ローラを、転写材が定着ローラ間のニップに至る前に、転写材のトナー像担持面が定着ローラに接触させて仮定着するように配置した転写材の定着方法において、被覆手段を、転写材のトナー像担持面と転写材のトナー像担持面に対応した定着ローラとの接触部位近傍に接触させて、定着ローラの回転により発生する風の吹き付けを防ぎ、次いで、転写材のトナー像担持面を、転写材のトナー像担持面に対応した定着ローラを接触させて仮定着し、この後、定着ローラのニップ間に、転写材を通過させて、未定着トナー像を転写材上に定着させることを特徴とする【００１５】  被覆手段をフィルム状の部材に形成し、被覆手段の一端側を定着ローラの回転方向に向かうように、定着ローラの周面に接触させることを特徴とする。
【発明の効果】
【００１６】  上記構成により、本発明によれば、転写材のトナー像担持面に対応する定着ローラを、転写材が定着ローラ間のニップに至る前に、転写材のトナー像担持面が定着ローラに接触させて仮定着するように配置することにより、始めに転写材に形成された未定着トナーが仮定着され、転写材を定着装置へ搬送するまでの間に、転写材の面に形成された未定着トナー像が飛散することを防止することができる。
【発明を実施するための最良の形態】
【００１７】  以下、本発明の実施の形態を図を用いて説明する。先ず、図１に、本発明による定着装置の一形態を組み入れた画像形成装置の要部の断面構成図を示す。図１に示すように、この装置は、連続紙のような連続ウェブ（以下、転写材Ｐと呼ぶ）の表裏両面に表、裏の順でカラー画像を転写し、次いでこれら未定着のカラー画像を表裏一括して定着する構成よりなる。【００１８】  なお、この実施の形態において、転写材Ｐは連続紙のような連続ウェブを適用した装置を開示しているが、これに限定されることはなく、カット紙を適用した装置することも可能である。【００１９】  再び、図１に戻り、カラー画像を形成する画像形成部４００は、大別して、転写材Ｐの表面（図で見て下面）にカラー画像を形成するための第１の画像形成部４１０、並びに転写材Ｐの裏面（図で見て上面）にカラー画像を形成する第２の画像形成部４２０からなる。【００２０】  図１に示すように、第１の画像形成部４１０と第２の画像形成部４２０とはほぼ左右対称の構成をなしている。第１の画像形成部４１０が、第１の中間転写ベルト４１１に対して、下から順に、イエロー（Ｙ）、マゼンタ（Ｍ）、シアン（Ｃ）、ブラック（ＢＫ）の画像を形成され、第１の中間転写ベルト４１１の頂上部においてそこに形成されたカラー画像を転写材Ｐの表面に転写する。【００２１】  これに対し、第２の画像形成部４２０は、第２の中間転写ベルト４２１に対して、上から順にイエロー（Ｙ）、マゼンタ（Ｍ）、シアン（Ｃ）、ブラック（ＢＫ）の画像が形成され、第２の中間転写ベルト４２１の下端において転写材Ｐの裏面に画像が転写される点が異なる。【００２２】  各色のトナー像を形成する感光ドラムＹ１、Ｍ１、Ｃ１、ＢＫ１並びにＹ２、Ｍ２、Ｃ２、ＢＫ２は、使用するトナーの色（Ｙ、Ｍ、Ｃ、ＢＫ）並びに帯電、転写等の各種の設定値が異なることを除いては、物理的にはほぼ同じ構成からなる。【００２３】  このため以下においては第１の画像形成部４１０の黒色トナー用の感光体ＢＫ１への黒色画像の形成について、その周囲に配置された画像形成機器について説明するが、その他の感光ドラムＹ１、Ｍ１、Ｃ１、Ｙ２、Ｍ２、Ｃ２、ＢＫ２の周囲にも同様な画像形成機器が配置されている。【００２４】  感光ドラムＢＫ１はＯＰＣ感光体、アモルファスシリコン感光体等の周知の感光体をアルミニウム等の円筒基体の表面に設けた構成よりなり、図１で見て、作動時には時計方向に所定の速度で回転する。【００２５】  さらに、感光ドラムＢＫ１の周辺には、図示されていないが、この感光ドラムＢＫ１にトナー像を形成するための周知の画像形成機器が配置されている。【００２６】  具体的には、感光ドラムＢＫ１の周囲に作動順に、感光ドラムＢＫ１上の残留電荷を除去するイレーサランプ、感光ドラムＢＫ１の表面を特定極性に一様に帯電するコロナ帯電器、帯電された感光ドラムＢＫ１の表面に黒色信号に応じたデジタル光信号を投射することにより所望の情報に基づいた静電潜像を形成するための露光装置、感光ドラムＢＫ１の表面に形成された静電潜像を黒色トナーにより現像する現像装置、第１の中間転写ベルト４１１の背面側からトナーと逆極性の帯電を行うことにより感光ドラムＢＫ１���に形成されたトナー像を第１の中間転写ベルト４１１の表面に転写する転写ローラ（または転写コロナ放電器）ＢＫＴＲ１、転写後に感光ドラムＢＫ１表面上に残留するトナー粉体を除去するためのクリーナーが、適宜箇所に配置されている。【００２７】  また、感光ドラムＹ１、Ｍ１、Ｃ１についても、感光ドラムＢＫ１と同様に上記したイレーサランプ、コロナ帯電器、露光装置、現像装置、転写ローラ（ＹＴＲ１、ＭＴＲ１、ＣＴＲ１）、クリーナーがそれぞれ設けられている。感光ドラムＢＫを除く各感光ドラムに配置された画像形成機器は、それぞれが形成するトナー像の色が異なり、感光ドラムＹ１についてはイエロー、Ｍ１についてはマゼンタ、Ｃ１についてはシアンのそれぞれの色に対応した色画像信号に基づく露光と、対応する色のトナーが用いられている。【００２８】  第１の中間転写ベルト４１１および第２の中間転写ベルト４２１は誘電性表面（トナー像担持体面）を有する幅広のエンドレスベルトからなる。第１の中間転写ベルト４１１および第２の中間転写ベルト４２１の各々は、第１の支持手段４１２および第２の支持手段４２２により支持され、画像形成時には反時計方向に各感光ドラムＹ１、Ｍ１、Ｃ１、ＢＫ１、Ｙ２、Ｍ２、Ｃ２、ＢＫ２の周速と同速度で移動する。【００２９】  第１の支持手段４１２は、第１ローラ４１３と第１駆動手段４１４からなり、第１の中間転写ベルト４１１に一定のテンションをかけて、上下に間隔を隔てて設けられている。第１駆動手段４１４は、第１ローラ４１３と向かい合う第１頂部ローラ４１４ａと、第１の中間転写ベルト４１１に一定のテンションをかけるための二つの第１補助ローラ（４１４ｂ、４１４ｂ）とからなる。【００３０】  各ローラの表面は、第１の中間転写ベルト４１１の接触部分ですべりが生じないように、ブラストメッシュ加工が施されている。また、第２の支持手段４２２も、第１の支持手段４２１と同様に、第２ローラ４２３と、第２頂部ローラと４２４ａ二つの第２補助ローラ（４２４ｂ、４２４ｂ）とを備えた第２駆動手段４２４とからなる。【００３１】  各中間転写ベルト（４１１、４２１）は、各々に対応した駆動手段（４１４、４２４）の駆動により、第１（第２）ローラ４１３（４２３）、頂部ローラ（４１４ａ、４２４ａ）、二つの補助ローラ（（４１４ｂ、４１４ｂ）、（４２４ｂ、４２４ｂ））により形成された循環径路を循環する。【００３２】  この移動に伴い、中間転写ベルト（４１１、４２１）の表面に、感光ドラムＹ１（Ｙ２）に形成されたイエロー色のトナー像が、次いで感光ドラムＭ１（Ｍ２）、Ｃ１（Ｃ２）、ＢＫ１（ＢＫ２）のそれぞれに形成されたマゼンタ色のトナー像、シアン色のトナー像、黒色トナー像が順に転写されて積層されてフルカラートナー画像またはマルチカラートナー画像が形成される。【００３３】  なお、この実施の形態おいて、フルカラートナー像またはマルチカラートナー像（以下、未定着トナー像と呼ぶ）について説明しているが、モノクロのトナー像であってもよい。また、この実施の形態において、画像の形成はイエロー（Ｙ）、マゼンタ（Ｍ）、シアン（Ｃ）、ブラック（ＢＫ）としているが、これに限定されることはなく、ブラック（ＢＫ��、シアン（Ｃ）、マゼンタ（Ｍ）、イエロー（Ｙ）としてもよい。【００３４】  こうして、第１の中間転写ベルト４１１および第２の中間転写ベルト４２１の誘電性表面（トナー像担持体面）に形成されたフルカラートナー画像またはマルチカラートナー画像は、各々に設けられた転写装置（４３０、４４０）により、転写材Ｐのいずれか一方の面Ｐ１または両面に転写される。第２画像形成部４２０側の転写装置４４０は、転写部４４１と剥離部４４２とを備える。こうして表裏両面にそれぞれ未定着トナー像を担持した転写材Ｐは、片面（Ｐ１、Ｐ２のいずれか一方の面）定着または両面一括定着のために本発明の定着装置Ｆへと送られる。【００３５】  図２に示すように、定着装置Ｆは、定着ローラ対１００と離型剤供給手段３００と被覆手段２００とからなる。定着ローラ（１１０、１２０）は熱伝導率の良い、例えばアルミニウム製の円筒管の外周にシリコンゴム等の弾性層１３０を０．８〜１０ｍｍ程度の厚さに被覆し、更にその表面にはテフロン（登録商標）被膜が形成されている。【００３６】  ２つの定着ローラ（１１０、１２０）は互いに圧接するように配置されており、図示しない駆動手段によりそれぞれ矢印ＡおよびＢの方向に回転するようになっている。さらに、第１の転写手段４３０で未定着トナー像が担持された転写Ｐ材の面Ｐ１に対応する定着ローラ１１０は、転写材Ｐ担持された未定着トナー像が定着ローラ（１１０、１２０）にニップ間に至る前に、転写材Ｐの一方の面（表面）Ｐ１、いわゆるトナー像担持体面が定着ローラに接触するように配置されている。【００３７】  具体的に、転写材Ｐの一方のトナー像担持体面Ｐ１に対応する定着ローラ１１０は、他方のトナー像担持体面（裏面）Ｐ２に対応する定着ローラ１２０よりも、第２の画像形成部４２０側に配置されている。【００３８】  なお、この実施の形態において、定着ローラ対１００の配置は、下側の定着ローラ１１０が、第２の画像形成部４２０側に配置されているが、これに限定されることはなく、例えば、転写材Ｐに対し最初に未定着トナーを担持した面が、転写材Ｐの他方の面（裏面）Ｐ２である場合には、上側の定着ローラ１２０が第２の画像形成部４２０側に配置される。【００３９】  かかる定着ローラ（１１０、１２０）の回転は、その間に搬送されてくる転写材Ｐの搬送速度と対応したほぼ同じ速度とされている。定着ローラ（１１０、１２０）の円筒管内にはそれぞれインフラレッドランプ（またはハロゲンランプ）等の加熱手段（図示せず）が設けられている。【００４０】  加熱手段は、弾性層１３０表面の温度を検知するサーミスタ等の温度センサ１４０からの信号を受けて図示しない制御手段によりオンオフ制御され、定着ローラ（１１０、１２０）の温度が所定の温度範囲内で維持されるようになっている。温度センサ１４０は、転写材Ｐが中央揃え、即ち定着ローラ（１１０、１２０）の軸線方向中央部と接触しながら通過する構成である場合には、当該転写材Ｐと接触する領域に設けることが好ましい。【００４１】  離型剤供給手段３００は、転写材Ｐを定着ローラ（１１０、１２０）間に圧接した時に、転写材Ｐに担持された未定着トナーが溶融し、このトナーが定着ローラ（１１０���１２０）に付着するオフセット現象を防止するものである。離型剤供給手段３００は、定着ローラ（１１０、１２０）表面にシリコンオイル等（以下、オイルと呼ぶ）の離型性オイルを塗布するオイル供給ローラ３１０と、余剰のオイルを除去するブレード３２０と、定着ローラ（１１０、１２０）表面に付着したトナー等の残留物を除去するための周知の構成のクリーニングウェブ手段３３０とからなる。【００４２】  被覆手段２００は、転写材Ｐの面上に、定着ローラ対１００が回転する時に生じる風の吹き付けを、防止するものである。被覆手段２００は、ポリイミド製のフィルム状部材からなり、一端側が定着ローラ１１０の回転方向に向かうように定着ローラ１１０の周面に接触するように配置されている。特に、被覆手段２００の一端側は、転写材Ｐの一方の面Ｐ１と転写材Ｐの一方の面Ｐ１に対応した定着ローラ１１０との接触部位近傍に接触させることが望ましい。【００４３】  なお、この実施の形態において、被覆手段２００は、下側の定着ローラ１１０側に配置されているが、これに限定されることはなく、例えば、転写材Ｐに対し最初に未定着トナーを担持した面が、転写材Ｐの他方の面Ｐ２である場合には、上側の定着ローラ１２０側に配置される。【００４４】  以上の構成のもと、転写材Ｐを所定の位置にセッティングし、図示しない駆動手段および定着ローラ対１００の回転により、順次、第１の画像形成部４１０側に転写材Ｐを繰り出す。繰り出された転写材Ｐは、先に述べたように第１の転写装置４３０により、転写材Ｐの一方の面Ｐ１に未定着トナーを転写する。次いで、転写材Ｐの一方の面Ｐ１に未定着トナーを担持した状態で転写材Ｐは第２の転写装置４４０に向かい、第２の転写装置４４０は、転写材Ｐの他方の面Ｐ２に未定着トナーを転写する。【００４５】  この時、図３に示すように、第２の転写装置４４０は、転写材Ｐの一方の面Ｐ１から転写材Ｐの他方の面Ｐ２に対し、転写材Ｐの一方の面Ｐ１に担持された未定着トナー像側から、この未定着トナーと逆極性の帯電を付与する。このため、転写材Ｐの一方の面Ｐ１に担持された未定着トナー像は、転写材Ｐに対する吸着力が弱くなる。【００４６】  また、この状態で、転写材Ｐが定着ローラ対１００側に搬送されると、定着ローラ対１００の回転によって、図４に示すように定着ローラ（１１０、１２０）間の圧接部位近傍に乱流が発生する。これにより、転写材Ｐの一方に面Ｐ１に風が吹き付けられたような状態となり、一方の面Ｐ１に担持された未定着トナー像が飛散し、鮮鋭な画像を得ることができなくなる。【００４７】  このため、先に述べたように、初めに、未定着トナーを担持した転写材Ｐの一方の面Ｐ１に対応する定着ローラ１１０を第２の画像形成部４２０側に配置し、さらに、この定着ローラ１１０に接触するように被覆手段２００を配置する。この配置により、先ず、転写材Ｐの一方に面Ｐ１に担持した未定着トナー像は、定着ローラ１１０と接触した被覆手段２００を通過する。【００４８】  図５に示すように、被覆手段２００は、定着ローラの上方を覆い、定着ローラ（１１０、１２０）の回転により発生する風の吹き付けを抑制する。この結果、互いに圧接する定着ローラ（１１０、１２��）間と転写材Ｐの一方の面Ｐ１とに発生する乱流が防止され、一方の面Ｐ１に担持された未定着トナー像の飛散を防止することができる。特に、被覆手段２００の配置は、転写材の高速出力には有効である。【００４９】  さらに、転写材Ｐの一方に面に担持した未定着トナー像は、転写材Ｐの一方に面にある定着ローラに周面に接触し、予備定着を行う。この予備定着により、転写材Ｐの一方の面Ｐ１に僅かに溶融し、この溶融の作用に対応して、転写材Ｐの一方の面Ｐ１に担持された未定着トナー像は、転写材Ｐに対する吸着力が回復する。【００５０】  さらに、先に述べた予備定着は、転写材Ｐの一方の面Ｐ１に担持された未定着トナー像の吸着力を回復させるとともに、転写材Ｐ中に含まれた水分や空気等が抜かれる。これにより、互いに圧接する定着ローラ（１１０、１２０）間において生じる転写材Ｐ中の水分の蒸発に伴う空気の膨張や空気自体の膨張が抑えられる。【００５１】  この結果、転写材Ｐ中での空気の膨張による破裂を防止することができ、互いに圧接する定着ローラ（１１０、１２０）間および／または定着ローラ（１１０、１２０）間直前で、転写材Ｐの両面または、いずれか一方の面Ｐ１に担持された未定着トナー像の飛散を防止することができる。この効果は、転写材Ｐに対して、いずれか一方の面の定着または両面一括定着の両方に有効である。【００５２】  定着ローラ（１１０、１２０）間で、転写材Ｐのいずれか一方または両面に定着された未定着トナー像は、排出ローラ５００を介して画像形成装置から排出される。
【図面の簡単な説明】
【００５３】
【図１】  画像形成装置の要部の断面構成図。
【図２】  本発明の定着装置の要部断面構成図。
【図３】  本発明の作用を示す図であり、転写材に未定着トナー像を担持する従来の作用を示す図。
【図４】  本発明の作用を示す図であり、未定着トナーが担持した状態で定着ローラ間に搬送される従来の図。
【図５】  本発明の被覆手段の作用を示す図。
【符号の説明】
【００５４】        １１０  定着ローラ（最初に未定着トナー像が形成された転写材の一方の面に対応）
２００  被覆手段
Ｐ      転写材
Ｐ１    トナー像担持面
Ｐ２    トナー像担持面
【図１】
2006285165.tif 000003
【図２】
2006285165.tif 000004
【図３】
2006285165.tif 000005
【図４】
2006285165.tif 000006
【図５】
2006285165.tif 000007